(57)【要約】      （修正有）【課題】ストーマパウチの排出口に付着した排泄物の臭いの拡散を防ぐ漏れ防止具を提供する。【解決手段】ストーマパウチ用漏れ防止具１０は、袋３３と、袋３３を密閉する閉鎖手段とを備えており、閉鎖手段は、磁力により互いに引き合う磁石１１と磁石２１とを備えている。袋３３内部にストーマパウチの排出口が含まれている状態で、ストーマパウチを挟んで閉じることにより、ストーマパウチの排出口を袋内部に閉じ込めることができる。【選択図】図１
2010046152.tif 000002
【特許請求の範囲】
【請求項１】
袋と、
上記袋を実質的に密閉する閉鎖手段とを備えており、
上記閉鎖手段は、磁力により互いに引き合う第１磁性部材および第２磁性部材により構成されていることを特徴とするストーマパウチ用漏れ防止具。
【請求項２】
第１磁性部材には第１押圧面が設けられており、第２磁性部材には第１押圧面に対向するように第２押圧面が設けられており、
第１押圧面と第２押圧面とは、磁力により互いに引き合うものであることを特徴とする請求項１に記載のストーマパウチ用漏れ防止具。
【請求項３】
上記袋の深さ方向に垂直な方向であって、第１押圧面および第２押圧面の面方向に沿った、上記袋の開口部の幅が、０．５ｃｍ以上、１５ｃｍ以下であることを特徴とする請求項２に記載のストーマパウチ用漏れ防止具。
【請求項４】
上記袋の深さ方向に垂直な方向であって、第１押圧面及び第２押圧面の面方向に沿った、上記袋の開口部の幅が、ストーマパウチの排出口の幅よりも大きいことを特徴とする請求項２に記載のストーマパウチ用漏れ防止具。
【請求項５】
上記袋が、物質に対して非透過性であることを特徴とする請求項１から４の何れか１項に記載のストーマパウチ用漏れ防止具。
【請求項６】
第１磁性部材および第２磁性部材は、上記袋の開口部の縁に設けられていることを特徴とする請求項１から５のいずれか１項に記載のストーマパウチ用漏れ防止具。
【請求項７】
第１磁性部材および第２磁性部材が可撓性を有することを特徴とする請求項１から６の何れか１項に記載のストーマパウチ用漏れ防止具。
【発明の詳細な説明】
【技術分野】
【０００１】
本発明は、ストーマパウチ用漏れ防止具に関し、より詳細には、ストーマパウチの排出口からの臭いの漏れを防止する防止具に関する。
【背景技術】
【０００２】
大腸がんや、膀胱がんなどにより、腸または尿道の一部を手術により切除した場合には、尿および便などの排泄物を体外に出すための排泄口（ストーマ）が新たに設けられる。
【０００３】
ストーマには括約筋がないため、ストーマを持つ患者は、自分の意思で排泄をコントロールすることができない。そのため、ストーマに専用のパウチ（ストーマパウチ）を装着しておき、少しずつ排泄されてくる排泄物を、このパウチ内で受け止め、ある程度溜まったところで、パウチ内の排泄物を捨てるという方法をとる。
【０００４】
主にパウチの下部には、溜まったパウチ内の排泄物を捨てるための排出口が設けられている。利用者は、この排出口から定期的に内容物を捨ててストーマパウチ内を空にすることにより、ストーマパウチを再利用している。排泄物を排出させるとき以外は、排出口は閉鎖手段により閉じられている。例えば、特許文献１に開示されているストーマパウチでは、排泄口を終端とする下方へ延びたネック部を上方へ折り畳むことによって、排泄口を閉鎖している。
【特許文献１】特表２００５−５１６６７４号（平成１７年６月９日公開）
【発明の開示】
【発明が解決しようとする課題】
【０００５】
通常、排出口を閉鎖して排泄物をパウチ内部に留めているが、パウチそのものから排泄物の臭いが漏れることはない。しかしながら、パウチ内に溜まった排泄物を捨て去った後に、排出口またはその近傍に排泄物が付着した場合には、その後、再利用するときに、異臭が発生し、患者にとって肉体的および精神的苦痛となる。
【０００６】
また、パウチ内に排泄物が溜まってくると、その重み、およびストーマから排出される際の圧力、または毛細管現象により、排泄物が閉鎖部分を通過して、排出口から漏れ出てくる。排泄物が漏れ出ると、衣服の汚染および異臭の発生を引き起こし、同様に患者にとって苦痛となる。
【０００７】
そこで、本発明は上記の問題点に鑑みてなされたものであり、その目的は、ストーマパウチの排出口からの臭いの漏れを防止するストーマパウチ用漏れ防止具を提供することにある。
【課題を解決するための手段】
【０００８】
本発明に係るストーマパウチ用漏れ防止具は、上記の問題を解決するために、袋と、上記袋を実質的に密閉する閉鎖手段とを備えており、上記閉鎖手段は、磁力により互いに引き合う第１磁性部材および第２磁性部材により構成されていることを特徴としている。
【０００９】
なお、ここで、「実質的に密閉」とは、内部の臭いの漏れを防止できる効果を奏するものであれば、完全には密閉されていないものも含むことを意図している。
【００１０】
上記構成によれば、ストーマパウチを挟んでいない状態では、第１磁性部材と、第２磁性部材とが互いに引き合っているため、これらにより構成される閉鎖手段によって、袋は実質的に密閉されている。第１磁性部材と第２磁性部材とは、磁力により互いに引き合っているため、その間にストーマパウチを挟んでも、ストーマパウチを介して閉鎖手段を閉じた状態にすることができる。したがって、袋内部にストーマパウチの排出口が含まれている状態で、ストーマパウチを挟んで閉鎖手段を閉じることにより、ストーマパウチの排出口を袋内部に実質的に閉じ込めることができる。これにより、排出口付近に付着した排泄物の臭いを袋内部に封じ込め、周囲に対して臭いが拡散することを防ぐことができる。
【００１１】
また、仮に排出口から排泄物が漏れ出た場合であっても、排泄物をこの袋により受け止めることができる。したがって、排出口からの排泄物の漏れによる衣服の汚染、異臭の発生をも防ぐことができる。
【００１２】
また、本発明に係るストーマパウチ用漏れ防止具においては、第１磁性部材には第１押圧面が設けられており、第２磁性部材には第１押圧面に対向するように第２押圧面が設けられており、第１押圧面と第２押圧面とは、磁力により互いに引き合うものであることが好ましい。
【００１３】
上記構成によれば、第１磁性部材における第１押圧面と、第２磁性部材における第２押圧面との間に、ストーマパウチを配置すると、第１磁性部材および第２磁性部材によりストーマパウチが押圧され、第１押圧面が接している部分のストーマパウチにおける内壁部分と、第２押圧面が接している部分におけるストーマパウチの内壁部分とが密着することになる。これにより、ストーマパウチ内に溜まった排泄物の移動が阻害される。
【００１４】
したがって、ストーマパウチの排出口を閉鎖する閉鎖具としても機能し、既に排出口が閉鎖されているストーマパウチに適用することにより、排出口からの排泄物の漏れをより確実に防止できる。
【００１５】
また、本発明に係るストーマパウチ用漏れ防止具においては、上記袋の深さ方向に垂直な方向であって、第１押圧面および第２押圧面の面方向に沿った、上記袋の開口部の幅が、ストーマパウチの排出口の幅よりも大きいことが好ましく、具体的には、上記袋の深さ方向に垂直な方向であって、第１押圧面および第２押圧面の面方向に沿った、上記袋の開口部の幅が、０．５ｃｍ以上、１５ｃｍ以下であることが好ましい。
【００１６】
上記構成によれば、一般的に使用されているストーマパウチの何れの製品に対して用いても、袋内部にストーマパウチの排出口を収納することができ、臭いの発生を防ぐことができる。
【００１７】
また、本発明に係るストーマパウチ用漏れ防止具においては、上記袋が、物質に対して非透過性であることが好ましい。
【００１８】
上記構成によれば、袋は気体に対して非透過性であるため、内部の臭いが外部に漏れることをより確実に防ぐことができる。
【００１９】
また、袋は液体および固体に対しても非透過性であるため、仮に排出口から排泄物が漏れ出て、この袋により受け止められた場合であっても、袋から排泄物がしみ出すことを防ぐことができる。したがって、排泄物の漏れによる、衣服の汚染および異臭の発生を防ぐことができる。
【００２０】
また、本発明に係るストーマパウチ用漏れ防止具においては、第１磁性部材および第２磁性部材は、上記袋の開口部の縁に設けられていることが好ましい。
【００２１】
上記構成によれば、閉鎖手段の開閉、ストーマパウチの排出口の袋への収納が容易となる。
【００２２】
また、本発明に係るストーマパウチ用漏れ防止具においては、第１磁性部材および第２磁性部材が可撓性を有することが好ましい。
【００２３】
上記構成によれば、第１磁性部材および第２磁性部材に外力が加わったときに、両磁性部材は撓むことができる。これにより、外力が加わったときに、第１磁性部材と第２磁性部材とが引き離される可能性を低減させることができる。したがって、本発明に係るストーマパウチ用漏れ防止具をストーマパウチに適用した状態で運動等をしたときに、漏れ防止具が外れる可能性を抑えることができる。
【００２４】
また上記構成によれば、第１磁性部材および第２磁性部材の開閉が容易になり、ストーマパウチへの装着が容易になる。
【発明の効果】
【００２５】
以上のように、本発明に係るストーマパウチ用漏れ防止具は、袋と、この袋を実質的に密閉する閉鎖手段とを備えており、閉鎖手段は、磁力により互いに引き合う第１磁性部材および第２磁性部材により構成されている。そのため、本発明に係るストーマパウチ用漏れ防止具を用いることにより、ストーマパウチの排出口を袋内部に閉じ込めることができる。よって、排出口付近に付着した排泄物の臭いを袋内部に封じ込め、臭いが外部に拡散することを防ぐことができる。
【発明を実施するための最良の形態】
【００２６】
本発明に係るストーマパウチ用漏れ防止具、およびそれを用いた方法の一実施形態について、図１〜図６に基づいて説明すれば以下の通りである。なお、本実施形態においては、消化器系ストーマ用のパウチに適用する場合について説明するが、本発明は、これに限定されるものではなく、尿路系ストーマ用のパウチについても適用し得る。
【００２７】
〔ストーマパウチ用漏れ防止具〕
まず本実施形態におけるストーマパウチ用漏れ防止具の構成について、図１を用いて説明する。
【００２８】
図１は、本発明に係るストーマパウチ用漏れ防止具（以下、単に「漏れ防止具」という）１０の斜視断面図である。図１に示すように、漏れ防止具１０は、磁石１１（第１磁性部材、閉鎖手段）と、磁石２１（第２磁性部材、閉鎖手段）と、袋３３とを備える構成であり、磁石１１および磁石２１は、それぞれ、袋３１と連続して設けられている磁石収納部３１および磁石収納部３２に収められている。
【００２９】
図３（ａ）は、漏れ防止具１０を鉛直方向上部（図１における上部）から見た図であり、磁石１１および２１以外の部材は省略して図示している。図３（ａ）に示すように、磁石１１と２１とは平行に並んでおり、磁石１１に設けられている押圧面（第１押圧面）１２と、磁石２１に設けられている押圧面（第１押圧面）２２とは、互いに対向している。磁石１１と磁石２１とは、磁力により互いに引き合っているため、漏れ防止具１０が閉じた状態の時には、押圧面１２と押圧面２２とが、磁石収納部３１および３２を介して密着した状態となっている。そのため、袋３３は密閉された状態となっている。
【００３０】
なお、磁石１１および磁石２１は、漏れ防止具１０が閉じた状態のときに、押圧面１２と押圧面２２とが平行となり、互いに対向する状態となればよい。したがって、図３（ｂ）に示すように、磁石１１および２１が複数の磁石からなるものであってもよい。図３（ｂ）は、磁石１１および２１が、それぞれ二つの磁石１１ａおよび１１ｂ、ならびに磁石２１ａおよび２１ｂからなる場合で、開いている状態を表している。磁石１１および２１が、それぞれ複数の磁石からなることにより、柔軟性が生じ、漏れ防止具１０の開閉などの取り扱いが容易となる。
【００３１】
磁石１１および磁石２１は、ストーマパウチを挟んでも互いに吸着して、ストーマパウチを挟んで袋３３を閉鎖することができ、人の手で容易に引き離すことができるものであれば、その吸着力に制限はない。
【００３２】
押圧面１２および押圧面２２の幅（長さ）Ｗ１は、後述するストーマパウチ５０のネック部５２を挟むことができる幅であればよく、したがって、ネック部５２の最小の幅を少なくとも有していればよい。本実施形態においては、ネック部５２における閉鎖部分５４の上部（排出口を含まない側）においてストーマパウチ５０を挟んでいるため、幅Ｗ１は、ネック部５２の最大幅Ｗ２よりも大きい。一方、磁石１１および磁石２１はストーマパウチ５０の一部を挟めればよいため、幅Ｗ１の上限は制限されないが、製造上および使用上の観点からストーマパウチ５０の横幅以下であることが好ましい。さらには、ネック部５２の一方の端部からもう一方の端部までを押さえつけることができればよいので、幅Ｗ１は、ネック部５２の幅と同じかそれ以下であることがより好ましい。
【００３３】
具体的には、幅Ｗ１は、０．５ｃｍ以上であることが好ましく、また、１５ｃｍ以下であることが好ましい。０．５ｃｍ以上、１５ｃｍ以下であれば、多くのストーマパウチ製品に対して用いることが可能となる。
【００３４】
また、磁石１１および２１に柔軟性を持たせるために、可撓性を有する磁石により、磁石１１および２１を形成することが好ましい。
【００３５】
磁石収納部３１および３２は、磁石１１および２１をそれぞれ収納するためのものである。磁石収納部３１および３２は、袋３３に連続して設けられている。そのため、磁石収納部３１および３２に収まっている磁石１１および磁石２１も、実質的に袋３３と一体になっている。したがって、磁石１１および磁石２１の一方のみを紛失することが避けられる。
【００３６】
磁石収納部３１および３２の端部は、何れも閉じられていてよく、または端部の一方もしくは両方が開放されたままであってもよい。少なくとも端部の一方が開放されている場合には、磁石１１または２１の損傷により、磁石の交換が必要となったときに、磁石を容易に取り替えることができる。
【００３７】
袋３３は、後述するストーマパウチ５０の排出口５１を収納するための部材である。ストーマパウチ５０の排出口５１を袋３３内部に閉じ込め、袋３３の口を塞ぐことにより、排出口５１に排泄物６１が付着していた場合に、排泄物６１の臭いが周囲に拡散することを防ぐことができる。また、ストーマパウチ５０の排出口５１から仮に排泄物６１が漏れ出た場合に、漏れ出た排泄物６１を受け止め、排泄物６１が周囲の衣服に付着することを回避でき、衣服への汚染、および異臭の発生を回避できる。
【００３８】
袋３３の第１磁性部材１１および第２磁性部材２１に沿った幅Ｗ４（図５参照）、すなわち、袋３３の深さ方向に垂直な方向であって、押圧面１２および押圧面２２の面方向に沿った、袋３３の開口部の幅Ｗ４は、ストーマパウチ５０の排出口５１の幅Ｗ３（図４（ａ）参照）よりも大きいことが好ましく、具体的には、幅Ｗ４は、０．５ｃｍ以上であることが好ましく、また、１５ｃｍ以下であることが好ましい。０．５ｃｍ以上、１５ｃｍ以下であれば、多くのストーマパウチ製品に対して用いることが可能となる。
【００３９】
また、袋３３は、物質、すなわち、気体、液体および固体が透過しない非透過性の素材により形成されていることが好ましい。これにより、袋３３内部の臭いをより確実に袋３３内部に封じ込め、臭いの漏れを防ぐことができる。また、仮に排泄物６１が排出口５１から袋３３内に漏れ出た場合に、排泄物６１が袋３３の内側から外側に染み出ることを防ぐことができ、衣服への汚染、および異臭の発生をより確実に防止できる。非透過性の素材としては、例えば、アルミラミネートおよびナイロンなどが挙げられるが、これらに限定されるものではない。
【００４０】
図２は、磁石１１と磁石２１とを引き離して、袋３３を開いた状態にしたものである。図１および図２に示すように、袋３３は、磁石収納部３１および３２と一体となっており、磁石収納部３１および３２が袋３３の開口部の縁を形成している。したがって、磁力により押圧面１２と２２とが、磁石収納部３１および３２を介して密着することにより、袋３３は閉じた状態となる。漏れ防止具１０においては、袋３３の幅は、磁石収納部３１および３２の幅と同一となっている（図示せず）。また、本実施形態において、袋３３は、ストーマパウチ５０の閉鎖部分５４が完全に収まるものとなっているが、これに限定されるものではなく、少なくとも排出口５１が収納できるものであればよい。また、袋３３の端部３４は閉じられている。
【００４１】
次に、漏れ防止具１０をストーマパウチに適用した場合について、図４〜図６を用いて説明する。
【００４２】
まず、漏れ防止具１０を適用するストーマパウチについて説明する。
【００４３】
図４（ａ）は、ストーマパウチ５０全体を示す正面図である。図４（ａ）に示すように、ストーマパウチ５０には、下部にネック部５２および排出口５１を有している。また、ストーマパウチ５０には、ストーマとの連結部となる排泄孔が設けられている（図示せず）。
【００４４】
図４（ｂ）は、ネック部５２を上部へ２回折り畳んで、排出口５１を閉鎖したときの、ストーマパウチ５０の下部を表す図である。ネック部５２の折り畳まれた部分である閉鎖部分５４は、ストーマパウチ５０に予め設けられている固定具５３により、開かないように固定されている。
【００４５】
図４（ｃ）は、図４（ｂ）に示すストーマパウチ５０の切断線Ａ−Ａ’で切断した状態を示した矢視断面図である。図４（ｃ）では、使用状態を表しており、ストーマパウチ５０の内部（パウチ前面シート５２ａとパウチ後面シート５２ｂとに挟まれている部分）にストーマからの排泄物６１が溜まっている状態である。図４（ｃ）に示すように、排出口５１を含むネック部５２は単に折り畳まれているだけであるため、排出口５１に排泄物が付着している場合には、その臭いが周囲に拡散することになる。また、漏れ防止具１０を用いない場合には、閉鎖部分５４に排泄物６１が達している。そのため、排泄物６１の重みおよびストーマからの圧力、または毛細管現象により、排泄物６１が、閉鎖部分５４内に伝わり、排出口５１から漏れ出てくることとなる。
【００４６】
図５は、漏れ防止具１０をストーマパウチ５０に適用している状態を示す図である。図６は、図５に示す漏れ防止具１０およびストーマパウチ５０の切断線Ｂ−Ｂ’で切断した状態を示す矢視断面図である。
【００４７】
図６に示すように、漏れ防止具１０は、磁石１１と磁石２１とにより、ストーマパウチ５０のネック部５２の閉鎖部分５４に連続している部分を挟んでいる。磁石１１と磁石２１とは、磁力により互いに引き合っている。そのため、磁石１１は、パウチ前面シート５２ａに対して、磁石２１の方向へ圧力を加え、一方で、磁石２１は、パウチ後面シート５２ｂに対して、磁石１１の方向へ圧力を加えている。その結果、磁石１１と磁石２１とに挟まれた部分において、パウチ前面シート５２ａの内壁とパウチ後面シート５２ｂの内壁とが密着した構造となる。また上述したように、押圧面１２および押圧面２２は、少なくとも、閉鎖部分５４に連続する部分の幅を有している。したがって、この部分において、ストーマパウチ５０の一方の端部からもう一方の端部まで、パウチ前面シート５２ａの内壁とパウチ後面シート５２ｂの内壁とが密着した状態となっている。また、磁石１１および磁石２１は、それぞれ、磁石収納部３１および３２を介してネック部５２に密着した状態となっている。
【００４８】
このような状態においては、磁石１１と磁石２１とに挟まれた部分においてストーマパウチ５０の内部が分断されるため、排泄物６１が閉鎖部分５４に達することが阻害されている。したがって、排泄物６１の重みおよびストーマからの圧力が直接的に閉鎖部分５４に加わることが、回避されている。これにより、排泄物６１が排出口５１から漏れ出てくることを防ぐことができる。また、排泄物６１が毛細管現象により排出口５１まで到達する可能性を低下させることができる。
【００４９】
図５および図６に示すように、ストーマパウチ５０の閉鎖部分５４の全体は、漏れ防止具１０の袋３３の内部に収まっている。また、漏れ防止具１０を適用している状態では、閉鎖部分５４を含む袋３３は密閉された状態となっている。排出口５１は閉鎖部分５４に含まれるため、排出口５１も袋３３の内部に収まっている。そのため、排出口５１の付近に付着している排泄物からの臭いを袋３３の内部に封じ込めることができる。また、仮に排出口５１から排泄物６１が漏れ出たとしても、排泄物６１は袋３３の内部に留まり、排泄物６１が周囲に広がることを防ぐことができ、衣服への汚染、および異臭の発生が抑えられる。また、袋３３が、上述した非透過性の素材により形成されている場合には、排泄物６１が袋３３の内側から外側に染み出ることがなくなり、衣服への汚染、および異臭の発生をより確実に防止できる。
【００５０】
本実施形態においては、ネック部を折り畳むことにより排出口を閉鎖するストーマパウチ５０に対して、漏れ防止具１０を適用しているが、本発明に係る漏れ防止具の適用対象は、これに限定されるものではなく、他の手段により排出口を閉鎖しているストーマパウチにも適用できる。
【００５１】
なお、本発明は上述した実施形態に限定されるものではなく、請求項に示した範囲において種々の変更が可能である。すなわち、請求項に示した範囲において、適宜変更した技術的手段を組み合わせて得られる実施形態についても本発明の技術的範囲に含まれる。
【産業上の利用可能性】
【００５２】
本発明に係るストーマパウチ用漏れ防止具は、ストーマを有する人が使用するストーマパウチに対して好適に利用し得る。
【図面の簡単な説明】
【００５３】
【図１】本発明の一実施形態に係る漏れ防止具の構成を示した斜視断面図である。
【図２】図１に示した漏れ防止具の開いた状態を示す断面図である。
【図３】（ａ）は、図１に示した漏れ防止具に備わっている磁石の上面図であり、（ｂ）は、本発明の別の実施形態に係る漏れ防止具に備わっている磁石の上面図である。
【図４】（ａ）は、ストーマパウチ全体を示す正面図であり、（ｂ）は、ネック部を折り畳んだ状態のストーマパウチの下部を示す図であり、（ｃ）は、（ｂ）に示すストーマパウチの下部の切断線Ａ−Ａ’で切断した状態を示した矢視断面図である。
【図５】本発明の一実施形態に係る漏れ防止具を、ネック部を折り畳んだストーマパウチに適用した状態を示す図である。
【図６】図５に示す漏れ防止具およびストーマパウチの切断線Ｂ−Ｂ’で切断した状態を示した矢視断面図である。
【符号の説明】
【００５４】
１０        ストーマパウチ用漏れ防止具
１１、１１ａ、１１ｂ      磁石（第１磁性部材、閉鎖手段）
１２        押圧面（第１押圧面）
２１、２１ａ、２１ｂ      磁石（第２磁性部材、閉鎖手段）
２２        押圧面（第２押圧面）
３１、３２  磁石収納部
３３        袋
３４        袋の端部
５０        ストーマパウチ
５１        排出口
５２        ネック部
５２ａ      パウチ前面シート
５２ｂ      パウチ後面シート
５３        固定具
５４        閉鎖部分
６１        排泄物
Ｗ１        押圧面の幅
Ｗ２        閉鎖部分の最大幅
Ｗ３        排出口の幅
Ｗ４        袋の幅
【図１】
2010046152.tif 000003
【図２】
2010046152.tif 000004
【図３】
2010046152.tif 000005
【図４】
2010046152.tif 000006
【図５】
2010046152.tif 000007
【図６】
2010046152.tif 000008